(57)【特許請求の範囲】
【請求項１】
吸収部を含むシート積層体からなり、着用者の股下部と前身頃と後身頃とを覆うように形成された吸収体本体と、この吸収体本体を着用者に固定するための固定部材とから構成される吸収体製品において、
上記固定部材は、吸収体本体の股下部の左右各縁部の近傍に位置して、着用者の大腿部の全周に弾性的に密着させて固定するための大腿部固定部と、吸収体本体の前身頃と後身頃とに係止されて、着用者の肩又は首に掛け回して吸収体本体を吊り上げて固定するための吊り上げバンドとでなり、
上記大腿部固定部は、吸収体本体の股下部の左右各縁部の弾性部分と股下部の左右両側に延在する伸縮性の吊り上げバンドとで構成されることを特徴とする吸収体製品。
【請求項２】
上記吊り上げバンドは、その両端末部が吸収体本体の両身頃の双方に固定されている請求項１記載の吸収体製品。
【請求項３】
上記吊り上げバンドは、その両端末部の一端が吸収体本体の両身頃の一方に固定されるとともに、両端末部の他端が吸収体本体の両身頃の他方に着脱自在に係止可能である請求項１記載の吸収体製品。
【請求項４】
上記吊り上げバンドの着脱自在な他端に粘着テープが設けられるとともに、両身頃の他方の外面側シートに、上記粘着テープを着脱自在に貼付け可能な貼付け部が設けられている請求項３記載の吸収体製品。
【請求項５】
上記吊り上げバンドの着脱自在な他端に機械式ファスナーの雄部が設けられるとともに、両身頃の他方の外面側シートの表面に、上記雄部を着脱自在に係止可能な機械式ファスナーの雌部が設けられている請求項３記載の吸収体製品。
【請求項６】
上記外面側シートは、表面にループ状繊維組織を有する不織布を用いて、機械式ファスナーの雌部として使用する請求項５記載の吸収体製品。
【請求項７】
上記吊り上げバンドの着脱自在な他端にバンド側結束具が設けられるとともに、両身頃の他方に、バンド側結束具を着脱自在に結束可能な身頃側結束具が設けられている請求項３記載の吸収体製品。
【請求項８】
上記吸収体本体の平面状レッグギャザー部に、大腿部相当部位を除いて両身頃に跨って、吊り上げバンドが移動・伸縮可能に挿通されるトンネル部が設けられ、このトンネル部に挿通された吊り上げバンドの一端が両身頃の一方に固定されるとともに、大腿部相当部位でトンネル部から露出した吊り上げバンドを外方に引き出して、この引き出した吊り上げバンドと平面状レッグギャザー部とで大腿部挿入穴が形成されてなる請求項１〜７のいずれかに記載の吸収体製品。
【請求項９】
上記吸収体本体の立体状レッグギャザー相当部位に、股下部と両身頃に跨って、吊り上げバンドが移動・伸縮可能に挿通するトンネル部が設けられ、このトンネル部に挿通された吊り上げバンドの一端が両身頃の一方に固定されるとともに、トンネル部と平面状レッグギャザー部との境部分にスリット状の大腿部挿入穴を開口させてなる請求項１〜７のいずれかに記載の吸収体製品。
【請求項１０】
上記吊り上げバンドに、大腿部の締め付けが必要以上に弛んだり、締め付け過ぎたりのいずれかまたは両方を阻止するストッパーが設けられている請求項１〜９のいずれかに記載の吸収体製品。
【発明の詳細な説明】
【０００１】
【発明の属する技術分野】
本発明は、腰部や腹部での締め付けによる不快感が無く、漏れや蒸れも無く、コストも安くできるウエスト締付けフリーの吸収体製品に関する。
【０００２】
【従来の技術】
幼児用や成人用のおむつのような吸収体製品としては、オープン型式とパンツ型式が知られている。
【０００３】
オープン型式の吸収体製品は、腰部の両側で分離されて平らに展開でき、装着時に前身頃と後身頃の両側部をテープ等で着脱可能に連結するものである。
【０００４】
パンツ型式の吸収体製品は、前身頃と後身頃の両側部を予め接合して、腰回り開口部と一対の脚周り開口部とを形成したものである。
【０００５】
【発明が解決しようとする課題】
しかしながら、いずれの型式の吸収体製品であっても、ずれや脱落、尿等の漏れを防止するために、テープ等やウエストギャザーで腰部や腹部を強く締め付ける必要があるから、着用者には苦痛が伴い、しかも身体にも悪いという問題があった。
【０００６】
本発明は、上記従来の問題を解決するためになされたもので、腰部や腹部での締め付けによる不快感が無く、漏れや蒸れも無く、コストも安くできるウエスト締付けフリーの吸収体製品を提供することを目的とするものである。
【０００７】
【課題を解決するための手段】
上記課題を解決するために、本発明は、吸収部を含むシート積層体からなり、着用者の股下部と前身頃と後身頃とを覆うように形成された吸収体本体と、この吸収体本体を着用者に固定するための固定部材とから構成される吸収体製品において、
上記固定部材は、吸収体本体の股下部の左右各縁部の近傍に位置して、着用者の大腿部の全周に弾性的に密着させて固定するための大腿部固定部と、吸収体本体の前身頃と後身頃とに係止されて、着用者の肩又は首に掛け回して吸収体本体を吊り上げて固定するための吊り上げバンドとでなることを特徴とする吸収体製品を提供するものである。
【０００８】
本発明によれば、吸収体製品を使用する場合には、着用者の左右の足を左右の大腿部固定部にそれぞれ挿入しながら、吸収体本体の股下部が着用者の股部分に当たるように引き上げると、左右の大腿部固定部が広がりながら左右の大腿部の全周に弾性的に密着するようになる。
【０００９】
その後、吊り上げバンドに着用者の左右の腕をそれぞれ通して、着用者の首又は肩に掛け回すと、吊り上げバンドで吸収体本体が吊り上げられて、着用者の股等に弾性的に密着するようになる。
【００１０】
上記吊り上げバンドは、その両端末部が吸収体本体の両身頃の双方に固定されている構成（請求項２）、又はその両端末部の一端が吸収体本体の両身頃の一方に固定されるとともに、両端末部の他端が吸収体本体の両身頃の他方に着脱自在に係止可能である構成（請求項３）のいずれかを選択することができる。
【００１１】
特に、請求項３の構成を選択した場合には、吊り上げバンドの着脱自在な他端に粘着テープが設けられるとともに、両身頃の他方の外面側シートに、上記粘着テープを着脱自在に貼付け可能な貼付け部が設けられている構成（請求項４）、吊り上げバンドの着脱自在な他端に機械式ファスナーの雄部が設けられるとともに、両身頃の他方の外面側シートの表面に、上記雄部を着脱自在に係止可能な機械式ファスナーの雌部が設けられている構成（請求項５）、外面側シートは、表面にループ状繊維組織を有する不織布を用いて、機械式ファスナーの雌部として使用する構成（請求項６）、吊り上げバンドの着脱自在な他端にバンド側結束具が設けられるとともに、両身頃の他方に、バンド側結束具を着脱自在に結束可能な身頃側結束具が設けられている構成（請求項７）のいずれかを選択することができる。
【００１２】
上記大腿部固定部は、上記吸収体本体のレッグギャザー存在部位に大腿部挿入穴を開口させてなる構成とするのが好ましく、特に、レッグギャザー存在部位は、複数本の弾性糸が添設されて、弾性糸の間にスリット状の大腿部挿入穴を開口させてなる構成とすれば、左右の大腿部挿入穴が左右の大腿部の全周に弾性糸の弾性でより緊密に密着するようになる。
【００１３】
上記レッグギャザー存在部位は、立体状レッグギャザー部が設けられてなり、この立体状レッグギャザー部にスリット状の大腿部挿入穴を開口させてなる構成としたり、平面状レッグギャザー部と立体状レッグギャザー部とが併設されてなり、この平面状レッグギャザー部と立体状レッグギャザー部の境部分にスリット状の大腿部挿入穴を開口させてなる構成とすることができる。
【００１４】
上記大腿部固定部は、上記吸収体本体の股下部の左右各縁部に弾性シート体が取付けられて、この弾性シート体に大腿部挿入穴を開口させてなる構成としたり、上記吸収体本体の股下部の左右各縁部に環状の弾性バンドが取付けられて、この弾性バンドを大腿部挿入穴としてなる構成としたり、上記吸収体本体の股下部の左右各縁部に環状の弾性バンドが取付けられて、この弾性バンドを大腿部挿入穴とするとともに、弾性バンドに切り込みが形成されて、この切り込みの両端末部が着脱自在に係止可能である構成としたりすることができる。
【００１５】
請求項１のように、上記大腿部固定部は、吸収体本体の股下部の左右各縁部の弾性部分と股下部の左右両側に延在する伸縮性の吊り上げバンドとで構成されるようにすることができる。
【００１６】
この請求項１を具体化した請求項８のように、上記吸収体本体の平面状レッグギャザー部に、大腿部相当部位を除いて両身頃に跨って、吊り上げバンドが移動・伸縮可能に挿通されるトンネル部が設けられ、このトンネル部に挿通された吊り上げバンドの一端が両身頃の一方に固定されるとともに、大腿部相当部位でトンネル部から露出した吊り上げバンドを外方に引き出して、この引き出した吊り上げバンドと平面状レッグギャザー部とで大腿部挿入穴が形成されてなる構成とすることができる。
【００１７】
この構成であれば、吸収体製品を使用する場合には、トンネル部から外部に露出した吊り上げバンドを外方に引き出して、この引き出した吊り上げバンドと平面状レッグギャザー部との間の大腿部挿入穴に着用者の左右の足をそれぞれ挿入しながら、吸収体本体の股下部が着用者の股部分に当たるように引き上げると、大腿部挿入穴の内側となる平面状レッグギャザー部が大腿部のほぼ内半周部分に弾性的に密着するととともに、大腿部挿入穴の外側となる伸縮性の吊り上げバンドが大腿部のほぼ外半周部分に弾性的に密着するようになる。
【００１８】
その後、吊り上げバンドに着用者の左右の腕をそれぞれ通して、着用者の首又は肩に掛け回すと、吊り上げバンドで吸収体本体が吊り上げられて、着用者の股等に弾性的に密着するようになる。
【００１９】
さらに、請求項１を具体化した請求項９のように、上記吸収体本体の立体状レッグギャザー相当部位に、股下部と両身頃に跨って、吊り上げバンドが移動・伸縮可能に挿通するトンネル部が設けられ、このトンネル部に挿通された吊り上げバンドの一端が両身頃の一方に固定されるとともに、トンネル部と平面状レッグギャザー部との境部分にスリット状の大腿部挿入穴を開口させてなる構成とすることもできる。
【００２０】
この構成であれば、吸収体製品を使用する場合には、平面状レッグギャザー部を外方に引っ張り伸ばして、この引っ張り伸ばした平面状レッグギャザー部とトンネル部内の吊り上げバンドとの間の大腿部挿入穴に着用者の左右の足をそれぞれ挿入しながら、吸収体本体の股下部が着用者の股部分に当たるように引き上げると、大腿部挿入穴の内側となるトンネル部内の吊り上げバンドが大腿部のほぼ内半周部分に弾性的に密着するととともに、大腿部挿入穴の外側となる平面状レッグギャザー部が大腿部のほぼ外半周部分に弾性的に密着するようになる。
【００２１】
その後、吊り上げバンドに着用者の左右の腕をそれぞれ通して、着用者の首又は肩に掛け回すと、吊り上げバンドで吸収体本体が吊り上げられて、着用者の股等に弾性的に密着するようになる。
【００２２】
上記吊り上げバンドに、大腿部の締め付けが必要以上に弛んだり、締め付け過ぎたりのいずれかまたは両方を阻止するストッパーが設けられている構成（請求項１０）とするのが好ましい。
【００２３】
【発明の実施の形態】
以下、本発明の実施の形態を図面を参照して詳細に説明する。
【００２４】
図１〜図３に示すように、第１実施形態の吸収体製品である使い捨ておむつ１は、外面側シート２と肌面側シート３と吸収体４と左右一対の吊り上げバンド５とで基本構成されている。
【００２５】
上記外面側シート２と肌面側シート３とでおむつ本体（吸収体本体）が構成され、長方形状の両シート２，３には、股下部Ｄと前身頃Ｆと後身頃Ｂとがそれぞれ形成されている。
【００２６】
上記外面側シート２は、液不透過性のポリエチレンフィルムのような熱可塑性フイルム素材が適当であり、特に熱可塑性樹脂にフィラーを加えて延伸して得られた（即ち多孔性とした）液不透過性で蒸気透過性のシートであれば、蒸れ感を減少できる点で好ましい。また、おむつの外表面に出る素材となるから、肌着に近い手触りのよい素材が好ましく、熱可塑性樹脂フイルムの上に不織布等の布帛を貼り合わせた複合シートとすることもできる。
【００２７】
上記肌面側シート３は、尿等の体液を透過させるとともに、着用者の肌に接触するものであるから、液透過性シートで肌着に近い感触を有するものが好ましい。このような液透過性シートとしては、例えば織布、不織布、多孔性フィルム等があるが、総合的には不織布が好ましい。
【００２８】
上記外面側シート２の上面には左右各縁部に沿って、長さ方向に伸長状態で複数本のレッグギャザー用弾性糸７がそれぞれ添設され、この状態で外面側シート２の上面に肌面側シート３の下面が重ね合わされて、接着又は融着されている。上記レッグギャザー用弾性糸７は、帯状や糸状の天然ゴムまたは合成ゴムで形成されている。
【００２９】
上記吸収体４は、天然パルプ繊維、合成樹脂繊維や高吸収性樹脂材料などを混合または積層したものが扁平に成形され、外周が薄葉紙で包まれ、さらにその上面がトップシートで覆われるとともに下面がバックシートで覆われて、その周縁部がシールされた構造になっており、また吸水材が高吸水性樹脂粉末主体からなる場合には、該粉末を２枚の不織布間に挟み固定したり、１枚の不織布上に接着剤で接着固定したり、あるいはまた接着剤を用いず、強い親和性を示す例えばセルローズ系の極細繊維状物と共に不織布上に担持した形態の構造になっている。
【００３０】
この吸収体４は、不透液性バックシートとしての外面側シート２と透液性トップシートとしての肌面側シート３との間に挟み込むタイプ（図３の矢印ａ参照）と、予めトップシートとバックシートとの間に挟んで一体化し、その一体化物のバックシート側を肌面側シート３の上面に接着するタイプ（図３の矢印ｂ参照）、さらに高吸水性樹脂粉末主体の吸水材を用いる場合には、該粉末を不織布間または不織布上に接着固定した形態のままで採用することができる。なお、吸収体４のバックシートを肌面側シート３の上面に着脱可能に固定すれば、吸収体４を交換するだけで、次述する吸収体本体８を繰り返して使用することもできる。
【００３１】
上記外面側シート２と肌面側シート３と吸収体４とレッグギャザー用弾性糸７とを組み付けてなるもので吸収体本体８が構成され、この吸収体本体８のレッグギャザー存在部位である左右各縁部における複数本のレッグギャザー用弾性糸７の添設部位において、ほぼ均等の本数を隔てた弾性糸７（Ａ）と７（Ｂ）の間に、前後方向にスリット状の大腿部挿入穴９をそれぞれ開口させる。
【００３２】
このように、弾性糸７（Ａ）と７（Ｂ）の間に大腿部挿入穴９を開口させることで、大腿部挿入穴９に着用者が大腿部Ｍを挿入したとき、図１に示すように、大腿部挿入穴９の内側となる弾性糸７（Ａ）が大腿部Ｍのほぼ内半周部分に弾性的に密着するととともに、大腿部挿入穴９の外側となる弾性糸７（Ｂ）が大腿部Ｍのほぼ外半周部分に弾性的に密着することにより、大腿部挿入穴９が大腿部Ｍの全周に弾性的に密着して、大腿部挿入穴９が大腿部Ｍに固定されるようになる。
【００３３】
上記左右一対の吊り上げバンド（サスペンダー）５は、着用者の肌に接触するものであるから、肌着に近い感触を有する不織布が好ましく、２枚の長尺帯状不織布５ａ，５ｂの間に、長さ方向に伸長状態で複数本の吊り上げ用弾性糸１０が添設された状態で、両不織布５ａ，５ｂが重ね合わされて、接着又は融着されている。上記吊り上げ用弾性糸１０は、帯状や糸状の天然ゴムまたは合成ゴムで形成されている。
【００３４】
この吊り上げバンド５の全長Ｌは、両端末部５ｃ，５ｄを上記吸収体本体８の前身頃Ｆの上部と後身頃Ｂの上部とにそれぞれ固定して、着用者の首又は肩に掛け回した状態で、吸収体本体８が吊り上げられて、着用者の股等に弾性的に密着して固定される長さに設定される。なお、吊り上げバンド５の配置構造例は図５で、固定構造例は図６〜図８でそれぞれ詳細に説明する。
【００３５】
この吊り上げバンド５は、弾性糸１０によって長さ方向の全長にわたって伸縮性に富むものであるから、着用者の身体サイズに対する融通性が高いという長所があるが、年齢が同じ幼児等のように、着用者の身体サイズがほぼ一定であれば、弾性糸１０を省略することも可能である。なお、吊り上げバンド５の一部のみに伸縮部を介設することもできる。
【００３６】
上記のように構成した第１実施形態の使い捨ておむつ１を使用する場合には、吸収体本体８の肌面側シート３を着用者に向けた状態で、着用者の左右の足を左右の大腿部挿入穴９にそれぞれ挿入しながら、吸収体本体８の股下部Ｄが着用者の股部分に当たるように引き上げると、左右の大腿部挿入穴９が広がりながら左右の大腿部Ｍの全周に弾性的に密着するようになる。
【００３７】
その後、ループ状の左右の吊り上げバンド５に着用者の左右の腕をそれぞれ通して、着用者の首又は肩に掛け回すと、伸縮性の吊り上げバンド５で吸収体本体８が吊り上げられて、着用者の股等に弾性的に密着するようになる。
【００３８】
そして、着用者に対しては、吸収体本体８の大腿部挿入穴９が着用者の大腿部Ｍの全周にレッグギャザー用弾性糸７で弾性的に密着することで、大腿部挿入穴９が着用者の大腿部Ｍに固定され、伸縮性の吊り上げバンド５を着用者の首又は肩に掛け回すことで、吸収体本体８が着用者の首又は肩に固定されるようになるから、着用者が動き回ったり体位を変えても、ずれたり脱落することが無く、尿等の漏れも無くなる。また、着用者の腰部や側部には吸収体本体８が存在しないので、通気・換気性が良くなって蒸れも無くなる。さらに、腰部や腹部への締め付けが全く無いので（ウエスト締付けフリー）、身体にも良くて不快感も無くなる。なお、吸収体本体８の肌面側シート３側の前身頃Ｆと後身頃Ｂの各端末を折り返してポケットを形成しておけば、ウエスト側からの尿等の漏れを防止することが可能である。
【００３９】
一方、ケアをする人に対しては、着用者の身体サイズに対する融通性が高く、位置決めも簡単なために、誰にでも交換し易い。また、脱がせる際に腰部は広がるので、便等が身体に付着することが少なくてケアがし易い。さらに、捨てる際に伸縮性の吊り上げバンド５をラッピングバンドとして利用できるので、密閉シールし易い。さらにまた、ウエスト用ギャザーやシャーリングギャザー等が無いので、おむつ構造がシンプルでコストが安くなる。
【００４０】
さらに、吸収体本体８のレッグギャザー存在部位である左右各縁部における複数本のレッグギャザー用弾性糸７の添設部位において、ほぼ均等の本数を隔てた弾性糸７（Ａ）と７（Ｂ）の間に、前後方向にスリット状の大腿部挿入穴９をそれぞれ開口させることにより、左右の大腿部挿入穴９が左右の大腿部Ｍの全周に弾性糸７の弾性でより緊密に密着するようになるとともに、レッグギャザー用弾性糸７を合理的に利用できるので別の弾性糸を添設する必要がなくなって、コストアップにならない。
【００４１】
なお、図４に示すように、吸収体本体８の前身頃Ｆと後身頃Ｂの両側にフラップ部１１をそれぞれ設けて、後身頃Ｂのフラップ部１１に取付けた粘着テープ１２を前身頃Ｆの外面側シート２に接着するオープン型式の使い捨ておむつであっても良い。この場合には、粘着テープで腰部や腹部を強く締め付ける必要がない。また、具体的に図示しないが、パンツ型式の使い捨ておむつ（使い捨てパンツ）であっても、ウエストギャザーで腰部や腹部を強く締め付ける必要がない。
【００４２】
図５に示すように、上記吸収体本体８に対する吊り上げバンド５の配置構造例は、同図（ａ）のように、左右の吊り上げバンド５が並行となる並行型、同図（ｂ）のように、前身頃Ｆ側の間隔が後身頃Ｂ側の間隔よりも狭くなる三角型、同図（ｃ）のように、同図（ｂ）の逆配置の逆三角型、同図（ｄ）のように、前身頃Ｆ側で交差させる前交差型、同図（ｅ）のように、後身頃Ｂ側で交差させる後交差型のいずれかを選択すれば良い。
【００４３】
図６に示すように、上記吸収体本体８に対する吊り上げバンド５の固定構造例は、同図（ａ）のように、両端末部５ｃ，５ｄを前身頃Ｆと後身頃Ｂにそれぞれ接合固定する場合（両サイド固定）と、同図（ｂ）のように、両端末部５ｃ，５ｄの一端、例えば端末部５ｄを後身頃Ｂに固定し、他端、例えば端末部５ｃを前身頃Ｆに着脱自在に係止する場合（片サイド固定）、さらには同図（ｃ）のように、前後身頃の内の一方、例えば後身頃Ｂから左右の吊り上げバンド５Ｒ，５Ｌが立ち上がり、その各上端が、首を回って前身頃側に固定できる他の１本の吊り上げバンド５Ｍを固定し、該バンド５Ｍの端末部５ｃを前身頃Ｆに接合固定または着脱自在に係止する方法などがあり、いずれかを選択すれば良い。
【００４４】
特に、後者の場合は、端末部５ｃの係止位置を自由に選択できて、サイズの調節が容易になる点で好ましく、例えば、同図（ｄ）（ｅ）のように、端末部５ｃに粘着テープ１４を設けて、吸収体本体８の外面側シート２の表面を貼付け部として着脱自在に貼付けるようにすれば良い。
【００４５】
また、図７（ａ）（ｂ）のように、端末部５ｃに機械式ファスナーの雄部１５を設けて、吸収体本体８の外面側シート２の表面にループ状繊維組織を有する不織布を用いて、機械式ファスナーの雌部として使用することにより、端末部５ｃの雄部１５を外面側シート２の雌部に着脱自在に係止すれば良い。なお、図７（ｃ）のように、図６（ｄ）（ｅ）の粘着テープ１４の貼付け部としての粘着テープ受けシートや図７（ａ）（ｂ）の機械式ファスナーの雌部としてのループ状繊維組織を有するシートのようなランディングゾーン１６を外面側シート２の表面に設けても良い。
【００４６】
さらに、図８（ａ）（ｂ）のように、端末部５ｃに結束具１７を設けるとともに、吸収体本体８の前身頃Ｆに結束穴１８を設けて、端末部５ｃの結束具１７を前身頃Ｆの結束穴１８に着脱自在に結束すれば良い。この場合の結束具１７としては、カフスボタン状突起（同図（ｃ））やフック（同図（ｄ））とすれば良い。なお、端末部５ｃに結束穴１８を設け、前身頃Ｆに結束具１７を設けるようにしても良い（同図（ｃ））。また、両端末部５ｃ，５ｄに結束具１７（又は結束穴１８）をそれぞれ設け、前身頃Ｆと後身頃Ｂに結束穴１８（又は結束具１７）をそれぞれ設けて、吊り上げバンド５の両端末部５ｃ，５ｄを吸収体本体８に着脱自在に係止することもできる。
【００４７】
図９（ａ）のように、上記大腿部挿入穴９は、吸収体本体８のレッグギャザー存在部位である左右各縁部における複数本のレッグギャザー用弾性糸７の添設部位において、ほぼ均等の本数を隔てた弾性糸７（Ａ）と７（Ｂ）の間に、前後方向にスリット状の大腿部挿入穴９をそれぞれ開口させたが、弾性糸７（Ａ）を添設した弾性シート体と弾性糸７（Ｂ）を添設した弾性シート体を吸収体本体８のレッグギャザー存在部位である左右各縁部にそれぞれ固定して、弾性糸７（Ａ）を添設した弾性シート体と弾性糸７（Ｂ）を添設した弾性シート体との間の大腿部挿入穴に相当する部位を接合しないことにより、この部位を大腿部挿入穴９とすることもできる。
【００４８】
また、同図（ｂ）（ｃ）のように、吸収体本体８に立体状レッグギャザー部２０が設けられている場合には、この立体状レッグギャザー部２０にスリット状の大腿部挿入穴９を開口させたり、同図（ｄ）（ｅ）のように、平面状レッグギャザー部２１と立体状レッグギャザー部２０とが併設されている場合には、平面状レッグギャザー部２１と立体状レッグギャザー部２０との境部分にスリット状の大腿部挿入穴９を開口させることもできる。
【００４９】
さらに、図１０（ａ）のように、弾性ポリマーからなる糸状体を網状のシートにした弾性シート体２２の中間部に大腿部挿入穴９を設けたり、弾性ポリマーからなる弾性シート体２２の中間部に大腿部挿入穴９を設けたりして、この弾性シート体２２を吸収体本体８の股下部Ｄの左右各縁部に固定しても良い。
【００５０】
また、同図（ｂ）のように、弾性ポリマーからなる糸状体を網状のシートにした環状の弾性バンド２３の中心を大腿部挿入穴９としたり、弾性ポリマーからなる環状の弾性バンド２３の中心を大腿部挿入穴９としたりして、この環状の弾性バンド２３を吸収体本体８の股下部Ｄの左右各縁部に固定しても良い。
【００５１】
さらに、同図（ｃ）（ｄ）のように、弾性ポリマーからなる糸状体を網状のシートにした環状の弾性バンド２３の中心を大腿部挿入穴９としたり、弾性ポリマーからなる環状の弾性バンド２３の中心を大腿部挿入穴９としたりして、この環状の弾性バンド２３を吸収体本体８の股下部Ｄの左右各縁部に固定するとともに、弾性バンド２３に切り込み２３ａを形成して、この切り込み２３ａの両端末部を上述したような粘着テープや機械式ファスナーのような係止部２３ｂ，２３ｂで相互に着脱自在に係止するようにしても良い。同図（ｃ）（ｄ）では、大腿部挿入穴９を解放できるので、おむつの装着時、着用者の大腿部Ｍを大腿部挿入穴９に挿入する作業が容易になる。
【００５２】
図１１は、不透液性バックシートとなる外面側シート２と透液性トップシートとなる肌面側シート３との間に吸収体４を挟み込むタイプの失禁製品の具体的な実施形態であり、レッグギャザー用弾性糸７を添設した弾性シート体２６を設けて、所定の本数を隔てた弾性糸７（Ａ，Ｂ）の間に、前後方向にスリット状の大腿部挿入穴９をそれぞれ開口させたものを吸収体本体８の股下部Ｄの左右各縁部に固定したものである。
【００５３】
そして、内側となる弾性糸７（Ａ）の一部を大腿部挿入穴９の方向へ台形状に窪ませることにより、この窪み部分が周囲の弾性糸７（Ａ）により引っ張られて、同図（ｂ）（ｃ）のように立ち上がって立体レッグギャザー２６ａを形成するようになって、体液の横漏れを有効に防止することができる。図１１の失禁製品１は、図１３（ａ）のような装着状態となる。
【００５４】
図１２は、図１１の変形例であり、同図（ａ）は、弾性シート体２６を吸収体本体８の前身頃Ｆ側に接合したもの、同図（ｂ）は、吸収体本体８の後身頃Ｂを大きくして吸収面積を増大させたもの、同図（ｃ）は、弾性シート体２６に切り込み２６ｂを形成して、この切り込み２６ｂの両端末部を上述したような粘着テープや機械式ファスナーのような係止部２６ｃ，２６ｃで相互に着脱自在に係止するようにしたものである。同図（ｃ）では、大腿部挿入穴９を解放できるので、おむつの装着時、着用者の大腿部Ｍを大腿部挿入穴９に挿入する作業が容易になる。
【００５５】
また、図１２（ｃ）の弾性シート体２６としては、図１３（ｂ）（ｃ）のように、大腿部挿入穴９の片側を切り離し可能な切り離し線２６ｄを予め形成しておき、使用時に切り離し線２６ｄを指で切り離して、大腿部挿入穴９を着用者の大腿部Ｍに挿入した後に、切り離し部分の両端末部を上述したような粘着テープや機械式ファスナーのような係止部２６ｃで着脱自在に係止することもできる。
【００５６】
図１４〜図１６は、第２実施形態の吸収体製品である使い捨ておむつ３０を説明するものであり、該おむつ３０は、第１実施形態と同様に、外面側シート２と肌面側シート３と吸収体４と左右一対の吊り上げバンド５とで基本構成されている。
【００５７】
上記外面側シート２と肌面側シート３の間には、図１５に示すように、左右各縁部に沿ってレッグギャザー用弾性糸７がそれぞれ添設されて、接着又は融着されている。
【００５８】
上記レッグギャザー用弾性糸７により吸収体本体８に平面状レッグギャザー部２１が形成され、この平面状レッグギャザー部２１に、大腿部相当部位、つまり股下部Ｄを除いて、前身頃Ｆと後身頃Ｂの左右各部に、平面状レッグギャザー部２１を左右方向に跨ぐようにトンネル用不織布３１がそれぞれ配置され、各トンネル用不織布３１は、図１５（ａ）（ｂ）のように、内端３１ａが肌面側シート３の上面に接着又は融着されるとともに、外端３１ｂが外面側シート２の下面に接着又は融着されている。
【００５９】
これにより、股下部Ｄを除いて、前身頃Ｆと後身頃Ｂに跨って、中空のトンネル部３２が形成されるとともに、前身頃Ｆと後身頃Ｂのトンネル部３２の間に切欠き部３３が形成されることになる。
【００６０】
上記吊り上げバンド５には、吊り上げ用弾性糸１０が添設されて、この吊り上げバンド５は、一端の端末部５ｄ側が後身頃Ｂ側のトンネル部３２から挿通されて、股下部Ｄの切欠き部３３で外部に露出した後に、再び前身頃Ｆ側のトンネル部３２に挿通されて、この端末部５ｄが前身頃Ｆに接合固定されている（図１４の符合ａ参照）。これにより、吊り上げバンド５は、トンネル部３２に移動・伸縮可能に挿通されることになる。
【００６１】
また、股下部Ｄの切欠き部３３で外部に露出した吊り上げバンド５は、該バンド５が引き出された状態では図１５（ｃ）の状態であるが、図１４に二点鎖線ｂで示したように、吊り上げバンド５の移動・伸縮作用により外方Ｓに引き出すことができ、この引き出した吊り上げバンド５と平面状レッグギャザー部２１とで大腿部挿入穴９が形成されるようになる。
【００６２】
上記吊り上げバンド５の他端の端末部５ｃには、第１実施形態と同様に、粘着テープや機械式ファスナーのような係止部５ｆが設けられ、この係止部５ｆで前身頃Ｆの外面側シート２の表面に着脱自在に係止することができる。
【００６３】
上記吊り上げバンド５には、前後方向に延在するスリット５ｇが形成されるとともに、後身頃Ｂのトンネル部３２内には、このスリット５ｇに入り込むストッパー部３２ａが形成されている（図１５（ｂ）参照）。このストッパー部３２ａは、スリット５ｇ内で対向するトンネル用不織布３１と肌面側シート３をスポット状に接着又は融着で固定して、このスポット状固定部でもって形成することができる。
【００６４】
上記のように構成した第２実施形態の使い捨ておむつ３０を使用する場合には、図１６に示すように、吸収体本体８の股下部Ｄの切欠き部３３で外部に露出した吊り上げバンド５を外方Ｓに引き出して、この引き出した吊り上げバンド５と平面状レッグギャザー部２１とで大腿部挿入穴９を形成する。また、吊り上げバンド５の他端の端末部５ｃの係止部５ｆを前身頃Ｆの外面側シート２の表面に係止してループ状にする。
【００６５】
そして、吸収体本体８の肌面側シート３を着用者に向けた状態で、着用者の左右の足を左右の大腿部挿入穴９にそれぞれ挿入しながら、吸収体本体８の股下部Ｄが着用者の股部分に当たるように引き上げると、大腿部挿入穴９の内側となる平面状レッグギャザー部２１が大腿部Ｍのほぼ内半周部分に弾性的に密着するととともに、大腿部挿入穴９の外側となる伸縮性の吊り上げバンド５が大腿部Ｍのほぼ外半周部分に弾性的に密着することにより、大腿部挿入穴９が大腿部Ｍの全周に弾性的に密着して、大腿部挿入穴９が大腿部Ｍに固定されるようになる。
【００６６】
その後、ループ状の左右の吊り上げバンド５に着用者の左右の腕をそれぞれ通して、着用者の首又は肩に掛け回すと、伸縮性の吊り上げバンド５で吸収体本体８が吊り上げられて、着用者の股等に弾性的に密着するようになる。
【００６７】
この吊り上げによって、吊り上げバンド５が伸長して引っ張られるから、吊り上げバンド５が大腿部Ｍにより強く弾性的に密着するようになって、ずれや漏れがなくなる。また逆に、吊り上げバンド５のスリット５ｇの後端（符号省略）がストッパー部３２ａで阻止され、吸収体本体８の外方Ｓに引き出した吊り上げバンド５を大腿部Ｍに締め付け過ぎることをも阻止するようになっている。
【００６８】
また、吸収体本体８の切欠き部３３で外部に露出した吊り上げバンド５が必要以上に外方Ｓに引き出されて弛むと、大腿部Ｍの外半周部分に弾性的に密着しにくくなって、ずれや漏れが生じやすくなる。そこで、吊り上げバンド５が必要以上に外方Ｓに引き出される前に、吊り上げバンド５のスリット５ｇの前端５ｈがストッパー部３２ａで当て止められて、それ以上は外方Ｓに引き出されるのが阻止されるから、引き出された吊り上げバンド５が弛むことなく常に大腿部Ｍに弾性的に密着するようになって、ずれや漏れがなくなる。
【００６９】
図１７〜図１９は、第３実施形態の吸収体製品である使い捨ておむつ３５を説明するためのものであり、該おむつ３５は、第１実施形態と同様に、外面側シート２と肌面側シート３と吸収体４と左右一対の吊り上げバンド５とで基本構成されている。
【００７０】
上記外面側シート２と肌面側シート３の間には、図１８に示すように、左右各縁部に沿ってレッグギャザー用弾性糸７がそれぞれ添設されて、接着又は融着されている。
【００７１】
上記レッグギャザー用弾性糸７により吸収体本体８に平面状レッグギャザー部２１が形成されるとともに、この平面状レッグギャザー部２１の内側に位置すべき立体状レッグギャザー相当部位に、股下部Ｄと前身頃Ｆと後身頃Ｂに跨って、外面側シート２と肌面側シート３との間に中空のトンネル部３２が形成されている。
【００７２】
上記吊り上げバンド５には、吊り上げ用弾性糸１０が添設されて、この吊り上げバンド５は、一端の端末部５ｄ側が後身頃Ｂ側のトンネル部３２から挿通されて、股下部Ｄのトンネル部３２を通って前身頃Ｆ側のトンネル部３２に挿通されて、この端末部５ｄが前身頃Ｆに固定されている（図１７の符合ａ参照）。これにより、吊り上げバンド５は、トンネル部３２に移動・伸縮可能に挿通されることになる。
【００７３】
また、トンネル部３２と平面状レッグギャザー部２１との境部分には、股下部Ｄに位置してスリット状の大腿部挿入穴９が形成されて、平面状レッグギャザー部２１を図１７及び図１８（ｃ）に二点鎖線ｂで示したように外方Ｓに引っ張り伸ばすことにより、この引っ張り伸ばした平面状レッグギャザー部２１とトンネル部３２内の吊り上げバンド５とで大腿部挿入穴９が拡大されるようになる。
【００７４】
上記吊り上げバンド５の他端の端末部５ｃには、第１実施形態と同様に、粘着テープや機械式ファスナーのような係止部５ｆが設けられ、この係止部５ｆで前身頃Ｆの外面側シート２の表面に着脱自在に係止することができる。
【００７５】
上記吊り上げバンド５には、前後方向に延在するスリット５ｇが形成されるとともに、後身頃Ｂのトンネル部３２内には、このスリット５ｇに入り込むストッパー部３２ａが形成されている（図１８（ｂ）参照）。
【００７６】
上記のように構成した第３実施形態の使い捨ておむつ３５を使用する場合には、吊り上げバンド５の他端の端末部５ｃの係止部５ｆを前身頃Ｆの外面側シート２の表面に係止してループ状にする。
【００７７】
そして、吸収体本体８の肌面側シート３を着用者に向けた状態で、平面状レッグギャザー部２１を外方Ｓに引っ張り伸ばして大腿部挿入穴９を拡大し、着用者の左右の足を左右の大腿部挿入穴９にそれぞれ挿入しながら、吸収体本体８の股下部Ｄが着用者の股部分に当たるように引き上げると、大腿部挿入穴９の内側となるトンネル部３２内の伸縮性の吊り上げバンド５が大腿部Ｍのほぼ内半周部分に弾性的に密着するととともに、大腿部挿入穴９の外側となる平面状レッグギャザー部２１が大腿部Ｍのほぼ外半周部分に弾性的に密着することにより、大腿部挿入穴９が大腿部Ｍの全周に弾性的に密着して、大腿部挿入穴９が大腿部Ｍに固定されるようになる。
【００７８】
その後、ループ状の左右の吊り上げバンド５に着用者の左右の腕をそれぞれ通して、着用者の首又は肩に掛け回すと、伸縮性の吊り上げバンド５で吸収体本体８が吊り上げられて、着用者の股等に弾性的に密着するようになる。
【００７９】
この吊り上げによって、吊り上げバンド５が伸長して引っ張られるから、吊り上げバンド５が大腿部Ｍにより強く弾性的に密着するようになって、ずれや漏れがなくなる。
【００８０】
また、吊り上げバンド５が弛むと、大腿部Ｍの内半周部分に弾性的に密着しにくくなって、ずれや漏れが生じやすくなる。そこで、吊り上げバンド５が必要以上に弛む前に、吊り上げバンド５のスリット５ｇの前端５ｈがストッパー部３２ａで当て止められて、それ以上の弛みが阻止されるから、吊り上げバンド５が弛むことなく常に大腿部Ｍに弾性的に密着するようになって、ずれや漏れがなくなる。
【００８１】
上記各実施形態では、吸収体製品として使い捨ておむつ又は失禁パンツを前提としたが、本発明はこれに限られるものではなく、生理用ナプキン、生理帯、ショーツ等にも適用できることは言うまでもない。
【００８２】
【発明の効果】
以上の説明からも明らかなように、本発明は、吸収体製品を使用する場合には、着用者の左右の足を左右の大腿部固定部にそれぞれ挿入しながら、吸収体本体の股下部が着用者の股部分に当たるように引き上げると、左右の大腿部固定部が広がりながら左右の大腿部の全周に弾性的に密着するようになり、その後、吊り上げバンドに着用者の左右の腕をそれぞれ通して、着用者の首又は肩に掛け回すと、吊り上げバンドで吸収体本体が吊り上げられて、着用者の股等に弾性的に密着するようになる。
【００８３】
したがって、着用者に対しては、吸収体本体の大腿部固定部が着用者の大腿部の全周に弾性的に密着することで、大腿部固定部が着用者の大腿部に固定され、吊り上げバンドを着用者の首又は肩に掛け回すことで、吸収体本体が着用者の首又は肩に固定されるようになるから、着用者が動き回ったり体位を変えても、ずれたり脱落することが無く、尿等の漏れも無くなる。また、着用者の腰部や側部には吸収体本体が存在しないので、通気・換気性が良くなって蒸れも無くなる。さらに、腰部や腹部への締め付けが全く無いので（ウエスト締付けフリー）、身体にも良くて不快感も無くなる。
【００８４】
ケアをする人に対しては、着用者の身体サイズに対する融通性が高く、位置決めも簡単なために、誰にでも交換し易い。また、脱がせる際に腰部は広がるので、便等が身体に付着することが少なくてケアがし易い。さらに、捨てる際に伸縮性の吊り上げバンドをラッピングバンドとして利用できるので、密閉シールし易い。さらにまた、ウエスト用ギャザーやシャーリングギャザー等が無いので、おむつ構造がシンプルでコストが安くなる。
【００８５】
一方、レッグギャザー存在部位に複数本の弾性糸を添設して、弾性糸の間にスリット状の大腿部挿入穴を開口させてなる構成とすれば、左右の大腿部挿入穴が左右の大腿部の全周に弾性糸の弾性でより緊密に密着するようになるとともに、レッグギャザー用弾性糸を合理的に利用できるので別の弾性糸を添設する必要がなくなって、コストアップにならない。
【００８６】
また、吸収体本体の平面状レッグギャザー部に設けたトンネル部に吊り上げバンドを挿通させて、大腿部相当部位でトンネル部から露出した吊り上げバンドを外方に引き出して、この引き出した吊り上げバンドと平面状レッグギャザー部とで大腿部挿入穴を形成する構成であれば（請求項８）、吊り上げバンドを着用者の首又は肩に掛け回すと、吊り上げバンドが伸長して引っ張られるから、吊り上げバンドが大腿部により強く弾性的に密着するようになって、ずれや漏れがなくなる。
【００８７】
さらに、吸収体本体の立体状レッグギャザー相当部位に設けたトンネル部に吊り上げバンドを挿通させて、トンネル部と平面状レッグギャザー部との境部分にスリット状の大腿部挿入穴を開口させた構成であれば（請求項９）、吊り上げバンドを着用者の首又は肩に掛け回すと、吊り上げバンドが伸長して引っ張られるから、吊り上げバンドが大腿部により強く弾性的に密着するようになって、ずれや漏れがなくなる。
【００８８】
さらにまた、吊り上げバンドに、大腿部の締め付けが必要以上に弛んだり、締め付け過ぎたりのいずれかまたは両方を阻止するストッパーを設けた構成であれば（請求項１０）、吊り上げバンドが必要以上に弛むと大腿部に弾性的に密着しにくくなって、ずれや漏れが生じやすくなるところ、ストッパー部で吊り上げバンドが必要以上に弛むのが阻止されるから、吊り上げバンドが常に大腿部に弾性的に密着するようになって、ずれや漏れがなくなるとともに、吊り上げバンドを大腿部に締め付け過ぎることをも阻止できるようになる。
【図面の簡単な説明】
【図１】    第１実施形態の吸収体製品の使用時の正面図である。
【図２】    吸収体製品であり、（ａ）は展開時の平面図、（ｂ）は使用時の正面図である。
【図３】    吸収体製品の分解斜視図である。
【図４】    吸収体製品の変形例の展開時の平面図である。
【図５】    （ａ）〜（ｅ）は、それぞれ吊り上げバンドの配置構造例の平面図である。
【図６】    （ａ）（ｂ）（ｃ）は、それぞれ吊り上げバンドの固定構造例の平面図、（ｄ）は粘着テープによる固定構造例の側面図、（ｅ）は（ｄ）の正面斜視図である。
【図７】    （ａ）は機械式ファスナーによる固定構造例の側面図、（ｂ）は（ａ）の正面斜視図、（ｃ）はランディングゾーンを設けた吊り上げバンドの固定構造例の正面斜視図である。
【図８】    （ａ）は、結束具と結束穴による固定構造例の正面斜視図、（ｂ）は吸収体本体の展開平面図、（ｃ）はカフスボタン状結束具の断面図、（ｄ）はフック状結束具の断面図である。
【図９】    （ａ）は大腿部挿入穴を平面状レッグギャザー部の間に形成した平面図、（ｂ）は大腿部挿入穴を立体状レッグギャザー部に形成した側面図、（ｃ）は（ｂ）の要部平面図、（ｄ）は大腿部挿入穴を立体状レッグギャザー部と平面状レッグギャザー部との境部分に形成した側面図、（ｅ）は（ｄ）の平面図である。
【図１０】  （ａ）は弾性シート体で大腿部挿入穴を形成した平面図、（ｂ）は環状の弾性バンドで大腿部挿入穴を形成した平面図、（ｃ）は開閉可能な環状の弾性バンドで大腿部挿入穴を形成した平面図、（ｄ）は（ｃ）の環状の弾性バンドの拡大図である。
【図１１】  （ａ）は吸収体製品の変形例の平面図、（ｂ）は（ａ）の断面図、（ｃ）は（ａ）の使用時の斜視図である。
【図１２】  （ａ）〜（ｃ）は、それぞれ吸収体製品の変形例の平面図である。
【図１３】  （ａ）は吸収体製品の変形例の使用時の正面図、（ｂ）は弾性シート体の平面図、（ｃ）は（ｂ）の使用時の斜視図である。
【図１４】  第２実施形態の吸収体製品の展開時の平面図である。
【図１５】  （ａ）は図１４のＰ−Ｐ線拡大断面図、（ｂ）は図１４のＱ−Ｑ線拡大断面図、（ｃ）は図１４のＲ−Ｒ線拡大断面図である。
【図１６】  吸収体製品の使用時の斜視図である。
【図１７】  第３実施形態の吸収体製品の展開時の平面図である。
【図１８】  （ａ）は図１７のＰ−Ｐ線拡大断面図、（ｂ）は図１７のＱ−Ｑ線拡大断面図、（ｃ）は図１７のＲ−Ｒ線拡大断面図である。
【図１９】  吸収体製品の使用時の斜視図である。
【符号の説明】
１，３０，３５  使い捨ておむつ、失禁製品（吸収体製品）
２      外面側シート
３      肌面側シート
５      吊り上げバンド
８      吸収体本体
９      大腿部挿入穴
２０    立体状レッグギャザー部
２１    平面状レッグギャザー部
Ｂ      後身頃
Ｄ      股下部
Ｆ      前身頃
Ｍ      大腿部
【図１】
0004330278.tif 000002
【図２】
0004330278.tif 000003
【図３】
0004330278.tif 000004
【図４】
0004330278.tif 000005
【図５】
0004330278.tif 000006
【図６】
0004330278.tif 000007
【図７】
0004330278.tif 000008
【図８】
0004330278.tif 000009
【図９】
0004330278.tif 000010
【図１０】
0004330278.tif 000011
【図１１】
0004330278.tif 000012
【図１２】
0004330278.tif 000013
【図１３】
0004330278.tif 000014
【図１４】
0004330278.tif 000015
【図１５】
0004330278.tif 000016
【図１６】
0004330278.tif 000017
【図１７】
0004330278.tif 000018
【図１８】
0004330278.tif 000019
【図１９】
0004330278.tif 000020